(57)【要約】  本発明は、フック係合構造及びこれを用いたバッテリパックケースに係り、さらに詳しくは、フック係合構造が形成される構造体を活用したフック係合構造及びこれを用いたバッテリパックケースに関する。
2021519898.tif 000002
【特許請求の範囲】
【請求項１】
周縁から下部に向かって延びて末端が内側に折り曲げられたフック部（１１１）を有してなる上構造体（１１０）と、
周縁から上部に向かって盛り上がって前記フック部（１１１）内に配置される突起部（１２１）を有して前記上構造体に結合される下構造体（１２０）と、
を備えてなり、
前記下構造体は、
前記上構造体（１１０）の前記フック部（１１１）の上部に対応する位置に前記下構造体の内部面が外側に突出して形成される係止爪（１３０）を備えてなり 、
前記フック部（１１１）が前記係止爪（１３０）と前記突起部（１２１）との間に嵌入して係合が行われることを特徴とするフック係合構造。
【請求項２】
前記フック部は、
折り曲げられて一つの面を形成して前記下構造体の突起部（１２１）に触れる第１の折曲げ面（１１１＿１）と、
折り曲げられて一つの面を形成して前記係止爪（１３０）に触れる第２の折曲げ面（１１１＿２）と、
を備えてなることを特徴とする請求項１に記載のフック係合構造。
【請求項３】
前記フック部の前記第１の折曲げ面は、前記突起部の厚さに等しいか又はそれよりも大きな厚さを有することを特徴とする請求項２に記載のフック係合構造。
【請求項４】
前記フック部の前記第２の折曲げ面は、前記係止爪の厚さよりも小さな厚さを有することを特徴とする請求項２又は３に記載のフック係合構造。
【請求項５】
前記係止爪と前記下構造体の前記突起部との間には、前記フック部の折曲げ部が位置するように嵌合溝（１４０）が形成されることを特徴とする請求項１から４のいずれか一項に記載のフック係合構造。
【請求項６】
バッテリパックケースにおいて、
周縁の所定の領域に嵌合溝が形成されるバッテリパック下ケース（３００）と、
前記バッテリパック下ケースの前記嵌合溝に対応する位置に末端が折り曲げられたフック部（２１０）が形成されるバッテリパック上ケース（２００）と、
を備えてなり、
前記バッテリパック下ケースの前記嵌合溝と前記バッテリパック上ケースの前記フック部とは、互いに嵌合してフック係合構造をなすことを特徴とするバッテリパックケース。
【請求項７】
前記バッテリパック下ケースは、
前記フック部の上部面と当接する高さに位置し、前記フック部が形成された面と隣り合う面に配置されて前記バッテリパック上ケースの前記フック部が引っ掛かるように外側に突出した係止爪（３１０）と、
前記フック部の下部面と当接する高さに位置し、前記フック部が形成された面と同じ面に配置されて前記フック部を支持するように上部に向かった盛り上がった突起部（３２０）と、
を備えてなることを特徴とする請求項６に記載のバッテリパックケース。
【請求項８】
前記バッテリパック上ケースの前記フック部は、
折り曲げられて一つの面を形成して前記バッテリパック下ケースの前記突起部（３２０）に触れる第１の折曲げ面（２１１）と、
折り曲げられて一つの面を形成して前記係止爪（３１０）に触れる第２の折曲げ面（２１２）と、
を備えてなることを特徴とする請求項７に記載のバッテリパックケース。
【請求項９】
前記係止爪と前記バッテリパック下ケースの前記突起部との間には、前記フック部が位置するように嵌合溝（３３０）が形成されることを特徴とする請求項７又は８に記載のバッテリパックケース。
【請求項１０】
請求項６から９のいずれか一項に記載のバッテリパックケースを備えるデバイス。
【請求項１１】
上部面から延びて末端が突設されたフック部（５１１）を有してなる上構造体（５１０）と、
前記フック部の所定の領域が底面の内側に配置されるように底面の所定の領域が穿孔された貫通孔（５３０）と、前記上構造体（５１０）の前記フック部（５１１）の上部に対応する位置に下構造体の内部面が外側に突出して形成される係止爪（５４０）と、を備えてなる下構造体（５２０）と、
を備えてなり、
前記フック部は、前記貫通孔に所定の領域が引き込まれて係合が行われることを特徴とするフック係合構造。
【請求項１２】
前記下構造体の底面は、
前記貫通孔の一方の側に位置する第１の底面部（５２１）と、
前記貫通孔の他方の側に位置する第２の底面部（５２２）と、
を備えてなり、
前記第１の底面部及び前記第２の底面部のうち、前記係止爪が位置していない領域の底面部は、前記フック部のうち突出していない一方の側の所定の領域を支持することを特徴とする請求項１１に記載のフック係合構造。
【請求項１３】
前記下構造体の前記係止爪と前記底面の前記貫通孔との間には、前記フック部が内側に位置するように嵌合溝（５５０）が形成されることを特徴とする請求項１１又は１２に記載のフック係合構造。
【請求項１４】
前記上構造体の前記フック部は、前記上構造体から延びた部分よりも大きな厚さを有することを特徴とする請求項１１から１３のいずれか一項に記載のフック係合構造。
【請求項１５】
前記貫通孔は、前記フック部の厚さに等しいか又はそれよりも大きな厚さに穿孔されることを特徴とする請求項１１から１４のいずれか一項に記載のフック係合構造。
【請求項１６】
バッテリパックケースにおいて、
底面の所定の領域に嵌合溝が形成されるバッテリパック下ケース（７００）と、
前記バッテリパック下ケースの前記嵌合溝に対応する位置に末端が突設された折曲げ部（６１１）を有してなるフック部（６１０）が形成されるバッテリパック上ケース（６００）と、
を備えてなり、
前記バッテリパック下ケースの前記嵌合溝と前記バッテリパック上ケースの前記フック部とは、互いに嵌合してフック係合構造をなすことを特徴とするバッテリパックケース。
【請求項１７】
前記バッテリパック下ケースは、
前記バッテリパック上ケースの折曲げ部の所定の領域が内側に配置されるように前記バッテリパック下ケースの前記底面の所定の領域が穿孔された貫通孔（７３０）と、
前記バッテリパック上ケースの前記フック部に対応する前記バッテリパック下ケースの側面の所定の領域に前記貫通孔と所定の高さだけ離れるように位置し、前記バッテリパック上ケースの折曲げ部が引っ掛かる係止爪（７４０）と、
を備えてなることを特徴とする請求項１６に記載のバッテリパックケース。
【請求項１８】
前記バッテリパック下ケースは、
前記貫通孔の一方の側に位置する側面部（７１０）と、
前記貫通孔の他方の側に位置する底面部（７２０）と、
をさらに備えてなり、
前記底面部は、前記フック部の折曲げ部のうち、突出していない一方の側の所定の領域を支持することを特徴とする請求項１７に記載のバッテリパックケース。
【請求項１９】
前記係止爪と前記底面との間には、前記係止爪と前記底面の前記貫通孔との間に前記フック部の折曲げ部が位置するように嵌合溝（７５０）が形成されることを特徴とする請求項１７又は１８に記載のバッテリパックケース。
【請求項２０】
請求項１６から１９のいずれか一項に記載のバッテリパックケースを備えるデバイス。
【発明の詳細な説明】
【技術分野】
【０００１】
本発明は、フック係合構造及びこれを用いたバッテリパックケースに係り、さらに詳しくは、フック係合構造が形成される構造体を活用したフック係合構造及びこれを用いたバッテリパックケースに関する。
【背景技術】
【０００２】
射出成形されるモールド物を互いに結合するためには、様々な手段が用いられる。例えば、ねじを用いて部品を互いに結合したり、部品それ自体に一体に形成されたフックと係止突起とを用いて部品同士を互いに係合したりする。
【０００３】
図１は、従来のフック係合構造の側面図である。
【０００４】
図１を参照すると、従来に一般的に形成されたフック係合構造は、射出成形されて下部構成要素として配置される第１の構造物１０及び前記第１の構造物１０の上部に配置され、第１の構造物１０に対応する形状の第２の構造物２０を備えてなる。
【０００５】
前記第１の構造物１０は、側面部の内側の所定の領域に外部に突出した係止爪１１が形成され、第２の構造物２０は、前記係止爪１１に対応する位置に配置されて第２の構造物２０から下部に延びた胴体２１＿１及び胴体２１＿１から延びて前記係止爪１１に向かって突出した突起部２１＿２を備えてなるフック部２１が形成される。
【０００６】
一般に、前記フック部２１は、所定の弾性変形が可能であり、前記第１の構造物１０の係止爪１１と第２の構造物２０の突起部２１＿２とが係合される過程において、前記フック部２１は、前記係止爪１１により押されてわずかに弾性変形されていて、元の位置に戻りながら前記係止爪１１に前記突起部２１＿２が引っ掛かって第１の構造物１０と第２の構造物２０とが結合されるようにする。
【０００７】
しかしながら、前記従来のフック係合構造は、第１の構造物１０と第２の構造物２０とが結合された後、構造物の全体に衝撃が生じる場合、前記フック部２１が後ろに押されて係止爪１１から係脱されて第１の構造物１０と第２の構造物２０との間の連結が解除されてしまうという不都合が生じる。
【０００８】
このような不都合を解決するためには、フック部を支持する構造物が必要になるが、これについては、図２に基づいて詳しく説明する。
【０００９】
図２は、従来のフック係合構造が改善された他のフック係合構造の側面図である。
【００１０】
図２を参照すると、他のフック係合構造は、下部構成要素として配置される第１の構造物３０及び前記第１の構造物３０の上部に配置され、第１の構造物３０に対応する形状の第２の構造物４０を備えてなる。バッテリパックに適用される場合、前記第１の構造物は下ケースであってもよく、第２の構造物は上ケースであってもよい。
【００１１】
前記第１の構造物３０は、側面部の内側の所定の領域に外部に突出した係止爪３１及び第１の構造物３０から上部に延び、前記係止爪３１と所定の間隔だけ離れて位置する支持棒３２が形成される。
【００１２】
第２の構造物４０は、前記係止爪３１と支持棒３２との間に介在されて配置され、第２の構造物４０から下部に延びた胴体４１＿１及び胴体４１＿１から延びて前記係止爪３１に向かって突出した突起部４１＿２を備えてなるフック部４１が形成される。
【００１３】
前記フック部４１と支持棒３２とは、所定の弾性変形が可能であり、前記第１の構造物３０と第２の構造物４０との結合に際して、前記フック部４１は、前記係止爪３１と支持棒３２との間に嵌入する。これにより、前記フック部４１の嵌入に際して、フック部４１と支持棒３２はわずかに弾性変形されていて、元の位置に戻りながら前記係止爪３１に前記突起部４１＿２が引っ掛かって第１の構造物３０と第２の構造物４０とが結合されるようにする。
【００１４】
このような構造は、従来のフック係合構造と異なり、支持棒３２が形成されることにより、第１の構造物３０と第２の構造物４０とが結合された後、構造物の全体に衝撃が生じる場合であっても、第１の構造物３０と第２の構造物４０との間の連結が解除されてしまうという不都合が生じることがない。
【００１５】
しかしながら、最近には、消費者のニーズに応えて、種々の構造体の小型化が主な問題として取り上げられているが、前記従来の技術の場合、支持棒３２といった構成要素が別途に必要であるため、フック係合構造が複雑化し、しかも、空間活用率が低下してしまうという不都合があった。
【００１６】
この理由から、空間活用率が増大されたフック係合構造に関する技術の開発が望まれる。
【先行技術文献】
【特許文献】
【００１７】
【特許文献１】ＪＰ１９９６−０２８２０９Ｂ
【特許文献２】ＪＰ６３０１８９３Ｂ
【発明の概要】
【発明が解決しようとする課題】
【００１８】
本発明は、構造体の小型化のためのフック係合構造及びこれを用いたバッテリパックケースを提供する。
【課題を解決するための手段】
【００１９】
本発明の一実施形態に係るフック係合構造は、周縁から下部に向かって延びて末端が内側に折り曲げられたフック部１１１を有してなる上構造体１１０と、周縁から上部に向かって盛り上がって前記フック部１１１内に配置される突起部１２１を有して前記上構造体に結合される下構造体１２０と、を備えてなり、前記下構造体は、前記上構造体１１０の前記フック部１１１の上部に対応する位置に前記下構造体の内部面が外側に突出して形成される係止爪１３０を備えてなる。
【００２０】
また、前記フック部１１１が前記係止爪１３０と前記突起部１２１との間に嵌入して係合が行われる。
【００２１】
前記フック部は、折り曲げられて一つの面を形成して前記下構造体の突起部１２１に触れる第１の折曲げ面１１１＿１と、折り曲げられて一つの面を形成して前記係止爪１３０に触れる第２の折曲げ面１１１＿２と、を備えてなる。
【００２２】
前記フック部の前記第１の折曲げ面は、前記突起部の厚さに等しいか又はそれよりも大きな厚さを有する。
【００２３】
前記フック部の前記第２の折曲げ面は、前記係止爪の厚さよりも小さな厚さを有する。
【００２４】
前記係止爪と前記下構造体の前記突起部との間には、前記フック部の折曲げ部が位置するように嵌合溝１４０が形成される。
【００２５】
本発明の一実施形態に係るバッテリパックケースは、周縁の所定の領域に嵌合溝が形成されるバッテリパック下ケース３００と、前記バッテリパック下ケースの前記嵌合溝に対応する位置に末端が折り曲げられたフック部２１０が形成されるバッテリパック上ケース２００と、を備えてなり、前記バッテリパック下ケースの前記嵌合溝と前記バッテリパック上ケースの前記フック部とは、互いに嵌合してフック係合構造をなす。
【００２６】
前記バッテリパック下ケースは、前記フック部の上部面と当接する高さに位置し、前記フック部が形成された面と隣り合う面に配置されて前記バッテリパック上ケースの前記フック部が引っ掛かるように外側に突出した係止爪３１０と、前記フック部の下部面と当接する高さに位置し、前記フック部が形成された面と同じ面に配置されて前記フック部を支持するように上部に向かった盛り上がった突起部３２０と、を備えてなる。
【００２７】
前記バッテリパック上ケースのフック部は、折り曲げられて一つの面を形成して前記バッテリパック下ケースの前記突起部３２０に触れる第１の折曲げ面２１１及び折り曲げられて一つの面を形成して前記係止爪３１０に触れる第２の折曲げ面２１２を備えてなる。
【００２８】
前記係止爪と前記バッテリパック下ケースの前記突起部との間には、前記フック部が位置するように嵌合溝３３０が形成される。
【００２９】
デバイスは、前記バッテリパックケースを備える。
【００３０】
本発明の他の実施形態に係るフック係合構造は、上部面から延びて末端が突設されたフック部５１１を有してなる上構造体５１０と、前記フック部の所定の領域が底面の内側に配置されるように底面の所定の領域が穿孔された貫通孔５３０と、前記上構造体５１０の前記フック部５１１の上部に対応する位置に下構造体の内部面が外側に突出して形成される係止爪５４０と、を備えてなる下構造体５２０と、を備えてなる。
【００３１】
また、前記フック部は、前記貫通孔に所定の領域が引き込まれて係合が行われる。
【００３２】
前記底面は、前記貫通孔の一方の側に位置する第１の底面部５２１及び前記貫通孔の他方の側に位置する第２の底面部５２２を備えてなる。
【００３３】
さらに、前記第１の底面部及び前記第２の底面部のうち、前記係止爪が位置していない領域の底面部は、前記フック部のうち突出していない一方の側の所定の領域を支持する。
【００３４】
前記下構造体の前記係止爪と前記底面の前記貫通孔との間には、前記フック部が内側に位置するように嵌合溝５５０が形成される。
【００３５】
前記上構造体の前記フック部は、前記上構造体から延びた部分よりも大きな厚さを有する。
【００３６】
前記貫通孔は、前記フック部の厚さに等しいか又はそれよりも大きな値の厚さに穿孔される。
【００３７】
本発明の他の実施形態に係るバッテリパックケースは、底面の所定の領域に嵌合溝が形成されるバッテリパック下ケース７００と、前記バッテリパック下ケースの前記嵌合溝に対応する位置に末端が突設された折曲げ部６１１を有してなるフック部６１０が形成されるバッテリパック上ケース６００と、を備えてなる。
【００３８】
前記バッテリパック下ケースの前記嵌合溝と前記バッテリパック上ケースの前記フック部とは、互いに嵌合してフック係合構造をなす。
【００３９】
前記バッテリパック下ケースは、前記バッテリパック上ケースの折曲げ部の所定の領域が内側に配置されるように前記バッテリパック下ケースの前記底面の所定の領域が穿孔された貫通孔７３０と、前記バッテリパック上ケースの前記フック部に対応するバッテリパック下ケースの側面の所定の領域に前記貫通孔と所定の高さだけ離れるように位置し、前記バッテリパック上ケースの折曲げ部が引っ掛かる係止爪７４０と、を備えてなる。
【００４０】
前記バッテリパック下ケースは、前記貫通孔の一方の側に位置する側面部７１０と、前記貫通孔の他方の側に位置する底面部７２０と、をさらに備えてなる。
【００４１】
また、前記底面部は、前記フック部の折曲げ部のうち、突出していない一方の側の所定の領域を支持する。
【００４２】
前記係止爪と前記底面との間には、前記係止爪と前記底面の前記貫通孔との間に前記フック部の折曲げ部が位置するように嵌合溝７５０が形成される。
【００４３】
デバイスは、前記バッテリパックケースを備える。
【発明の効果】
【００４４】
本発明の実施形態に係るフック係合構造及びこれを用いたバッテリパックケースは、従来にフックが押されることを防ぐために別途に構成された支持棒の代わりに構造体を活用して該構造体が支持棒に取って代わることにより、フック係合構造の空間活用率を増大させることができる。
【図面の簡単な説明】
【００４５】
【図１】従来のフック係合構造の側面図である。
【図２】従来のフック係合構造が改善された他のフック係合構造の側面図である。
【図３】本発明の一実施形態に係るフック係合構造の側面図である。
【図４】本発明の一実施形態に係るフック部の側面拡大図である。
【図５】本発明の一実施形態に係るフック部が嵌入する前のフック係合構造の側面図である。
【図６】本発明の一実施形態に係るバッテリパックケースの内部構造図である。
【図７】（ａ）は、本発明の一実施形態に係るバッテリパックケース内のフック係合構造領域であるＡ−Ａ’線に沿って切り取った断面図であり、（ｂ）は、本発明の一実施形態に係るバッテリパックケース内のフック係合構造が形成されていない領域であるＢ−Ｂ’線に沿って切り取った断面図である。
【図８】本発明の一実施形態に係るバッテリパックケースにおけるフック係合構造の側面図である。
【図９】本発明の一実施形態に係るバッテリパックケースにおけるフック部が嵌入する前のフック係合構造の側面図である。
【図１０】本発明の一実施形態に係るバッテリパックケースにおけるフック部の側面拡大図である。
【図１１】本発明の他の実施形態に係るフック係合構造の側面図である。
【図１２】本発明の他の実施形態に係るフック部が嵌入する前のフック係合構造の側面図である。
【図１３】本発明の他の実施形態に係るバッテリパックケースの内部構造図である。
【図１４】本発明の他の実施形態に係るバッテリパックケースにおけるフック係合構造の切断側面図である。
【図１５】本発明の他の実施形態に係るフック部が嵌入する前のバッテリパックケースにおけるフック係合構造の切断側面図である。
【発明を実施するための形態】
【００４６】
以下、添付図面に基づいて、本発明の実施形態をより詳しく説明する。しかしながら、本発明は以下に開示される実施形態に何ら限定されるものではなく、異なる様々な形態に具体化され、単にこれらの実施形態は本発明の開示を完全たるものにし、通常の知識を有する者に発明の範囲を完全に知らせるために提供されるものである。
【００４７】
「第１の」、「第２の」などのように序数を含む言い回しは、様々な構成要素を説明するうえで使用可能であるが、前記構成要素は、前記言い回しによって何等限定されない。前記言い回しは、ある構成要素を他の構成要素から区別する目的でしか使えない。例えば、本発明の権利範囲を逸脱しない範囲内において第１の構成要素は第２の構成要素と命名されてもよく、同様に、第２の構成要素もまた第１の構成要素と命名されてもよい。本出願において用いた用語は、単に特定の実施の形態を説明するために用いられたものであり、本発明を限定しようとする意図はない。単数の表現は、文脈からみて明らかに他の意味を有さない限り、複数の言い回しを含む。
【００４８】
本発明において用いられる用語としては、本発明における機能を考慮しつつ、できる限り現在汎広く用いられている一般的な用語を選択したが、これは、当分野に携わっている技術者の意図又は判例、新たな技術の出現などによって異なる。なお、特定の場合は、出願人が任意に選定した用語もあり、この場合に、当該する発明の説明の部分の欄において詳しくその意味を記載する。よって、本発明において用いられる用語は、単なる用語の名称ではなく、その用語が有する意味と本発明の全般に亘っての内容を踏まえて定義されるべきである。
【００４９】
＜実施形態１＞
次いで、本発明の一実施形態に係るフック係合構造について説明する。
【００５０】
本発明の一実施形態に係るフック係合構造は、フック係合構造が形成される下構造体の周縁を盛り上がらせて突起を形成し、フック部が係止爪に引っ掛かった後に後ろに押されないように前記突起を介して支持されることにより、フック係合構造の空間活用率が増大できるようにする。
【００５１】
図３は、本発明の一実施形態に係るフック係合構造の側面図である。
【００５２】
図３を参照すると、本発明の一実施形態に係るフック係合構造１００は、周縁から下部に向かって延びて末端が内側に折り曲げられたフック部１１１を有してなる上構造体１１０と、周縁から上部に向かって盛り上がって前記フック部１１１内に配置される突起部１２１を有してなる下構造体１２０及び前記上構造体１１０のフック部１１１が引っ掛かる係止爪１３０を備えてなる。
【００５３】
また、前記フック部は、前記係止爪１３０と突起部１２１との間に嵌入して係合が行われる。
【００５４】
以下、このようなフック係合構造の構成についてさらに詳しく説明する。
【００５５】
まず、前記上構造体１１０は、周縁から下部に向かって延びて末端が内側に折り曲げられたフック部１１１を備える構成要素であって、前記係止爪１３０と突起部１２１との間に嵌入し易いために所定の弾性変形可能な素材から形成される。
【００５６】
前記フック部１１１については、図４に基づいて詳しく説明する。
【００５７】
図４は、本発明の一実施形態に係るフック部の側面拡大図である。
【００５８】
図４を参照すると、前記フック部１１１は、折り曲げられて一つの面を形成して前記下構造体の突起部１２１に触れる第１の折曲げ面１１１＿１及び折り曲げられて一つの面を形成して前記係止爪１３０に触れる第２の折曲げ面１１１＿２を備えてなる。
【００５９】
より詳しく説明すると、前記第１の折曲げ面１１１＿１は、前記上構造体１１０の周縁を１回折り曲げて形成される面であって、一実施形態によれば、第１の折曲げ面１１１＿１の厚さは、前記突起部１２１の上部面の厚さに等しいか又は所定の範囲だけ大きく形成される。
【００６０】
第１の折曲げ面１１１＿１の厚さが前記突起部１２１の上部面の厚さよりも小さな場合には、フック部１１１の末端が突起部１２１に十分に引っ掛からないというデメリットがある。また、第１の折曲げ面１１１＿１の厚さが前記突起部１２１の上部面の厚さよりも所定の範囲だけ大きく形成された場合には、フック係合後に、フック部１１１の末端と突起部１２１との間に隙間が生じて強固に固定されないという不都合が生じるため、最小限の大きな厚さを有するように形成する。
【００６１】
また、前記第２の折曲げ面１１１＿２は、前記第１の折曲げ面１１１＿１が生成されるように１回折り曲げられ、さらに１回折り曲げられて形成される面であって、一実施形態によれば、第２の折曲げ面１１１＿２の厚さは、前記係止爪１３０の下部面の厚さに等しく形成される。第２の折曲げ面１１１＿２の厚さが前記係止爪１３０の下部面の厚さよりも小さな場合には、フック係合後に、組立て構造体に衝撃が生じたときに係止爪からフック部１１１の末端が係脱されてしまうという不都合が生じる。なお、第２の折曲げ面１１１＿２の厚さが前記係止爪１３０の下部面の厚さよりも大きく形成された場合には、フック係合構造の全体の厚さが増加してしまうという不都合が生じる。
【００６２】
さらに、前記フック部１１１の末端は、一方の側は平行であり、他方の側は下部に向かって進むにつれて次第に狭くなる形状に形成されて、係止爪１３０と突起部１２１との間に嵌入しやすくする。フック部１１１の末端の一方の側は、前記突起部１２１により支持される力が分散されないように平行な形状に形成されるが、本発明はこのような形状に限定されない。
【００６３】
さらにまた、前記下構造体１２０は、周縁から上部に向かって盛り上がって前記フック部１１１内に配置される突起部１２１を備える構成要素であって、前記突起部１２１の盛り上がり高さは、前記フック部１１１の末端の長さに等しいか又は末端の長さよりも大きく形成する。前記突起部１２１の盛り上がり高さが前記フック部１１１の末端の長さよりも小さな場合には、フック部１１１の支持力が弱いためフック係合が解除されてしまうという不都合が生じる。
【００６４】
このような突起部１２１とフック部１１１の構造を従来の発明と比較すると、前記図２に示すような従来のフック係合構造は、下部構成要素として配置される第１の構造物３０及び前記第１の構造物３０の上部に配置され、第１の構造物３０に対応する形状の第２の構造物４０を備えてなる。
【００６５】
前記第１の構造物３０は、側面部内側の所定の領域に外部に突出した係止爪３１及び第１の構造物３０から上部に延び、前記係止爪３１と所定の間隔だけ離れて位置する支持棒３２が形成される。
【００６６】
また、前記第２の構造物４０は、前記係止爪３１と支持棒３２との間に介在されて配置され、第２の構造物４０から下部に延びた胴体４１＿１及び胴体４１＿１から延びて前記係止爪３１に向かって突出した突起部４１＿２を備えてなるフック部４１が形成される。
【００６７】
しかしながら、このような従来のフック係合構造における省スペース化が求められることにより、空間効率を増大させるために、従来のフック係合構造の支持棒３２といった構成要素を削除し、本発明のように、２回折り曲げられたフック部１１１とこのようなフック部１１１を支持する突起部１２１の構造に形成することにより、フック係合構造の空間活用率を増大させる。
【００６８】
また、前記係止爪１３０は、前記上構造体１１０のフック部１１１の上部に対応する位置に下構造体の内部面が外側に突出して形成される構成要素であって、前記上構造体１１０のフック部１１１が係止爪１３０に引っ掛かる。
【００６９】
さらに、前記係止爪１３０と突起部１２１との間には前記フック部１１１が位置するように嵌合溝１４０が形成されるが、これについては、図５に基づいて詳しく説明する。
【００７０】
図５は、本発明の一実施形態に係るフック部が嵌入する前のフック係合構造の側面図である。
【００７１】
図５を参照すると、嵌合溝１４０の左側角部から突起部１２１の上部面と当接する右側角部までの長さは、前記第１の折曲げ面１１１＿１から第２の折曲げ面１１１＿２までの長さに等しく形成されて、前記フック部１１１を嵌合溝１４０内に嵌入しやすくする。
【００７２】
さらにまた、本発明の一実施形態のフック係合構造は、フック係合構造が互いに結合されて所定の空間を形成するケースの様々な構造体に適用されて従来よりも構造体の空間の効率が増大できるようにする。
【００７３】
＜実施形態２＞
次いで、本発明の一実施形態に係るバッテリパックケースについて説明する。
【００７４】
本発明の一実施形態に係るバッテリパックケースは、前記一実施形態に係るフック係合構造が形成されたバッテリパックケースであって、バッテリパック上ケースに形成されたフック部の形状を２回折り曲げた形状にして所定の空間を形成し、バッテリパック下ケースの周縁に盛り上がった突起を前記フック部の所定の空間の内側に配置することにより、フック部が後ろに押されることなく支持できるようにする。
【００７５】
図６は、本発明の一実施形態に係るバッテリパックケースの内部構造図である。ここで、図６の上部面は、フック係合構造が形成された内側が覗き込まれるように上部面の一部が切断された形状に示されているため、バッテリパック上ケースの構造は、通常、上部面の全体が覆われている構造に形成される。
【００７６】
図７の（ａ）は、本発明の一実施形態に係るバッテリパックケース内のフック係合構造領域であるＡ−Ａ’線に沿って切り取った断面図であり、図７の（ｂ）は、本発明の一実施形態に係るバッテリパックケース内のフック係合構造が形成されていない領域であるＢ−Ｂ’線に沿って切り取った断面図である。
【００７７】
図８は、本発明の一実施形態に係るバッテリパックケースにおけるフック係合構造の側面図である。
【００７８】
図６から図８を参照すると、本発明の一実施形態に係るバッテリパックケースは、周縁の所定の領域に嵌合溝が形成されるバッテリパック下ケース３００及び前記バッテリパック下ケースの嵌合溝に対応する位置に末端が折り曲げられたフック部２１０が形成されるバッテリパック上ケース２００を備えてなる。
【００７９】
また、前記下ケースの嵌合溝と上ケースのフック部は、互いに嵌合してフック係合構造をなす。なお、フック係合構造は、下ケースと上ケースとの間の結合力が増大されるように各角部に複数が形成されてもよく、全体のケースの周縁に係合構造が形成されてもよい。
【００８０】
前記図６及び図７に基づいてさらに詳しく説明すると、前記フック係合構造は、前記バッテリパック上ケース２００のそれぞれの角部に形成されて前記Ａ−Ａ’領域の切断断面のように両側にフック係合構造が形成される。前記フック係合構造は、フック部２１０がバッテリパック上ケース２００から所定の範囲まで延びてバッテリパック下ケース３００と係合する。これとは異なり、フック係合構造が形成されていないＢ−Ｂ’領域は、バッテリパック上ケース２００が前記Ａ−Ａ’領域の高さよりも所定の範囲だけ小さな高さにのみ形成される。このようなフック係合構造とフック係合構造が形成されていない構造は、凹凸状を呈して、構造それ自体でも係合力が増大できるようにする。
【００８１】
以下、このようなバッテリパックケースの構成についてさらに詳しく説明する。
【００８２】
前記バッテリパック下ケース３００は、周縁の所定の領域に嵌合溝３３０が形成される構成要素であって、図９に基づいてさらに詳しく説明する。
【００８３】
図９は、本発明の一実施形態に係るバッテリパックケースにおけるフック部が嵌入する前のフック係合構造の側面図である。
【００８４】
図９を参照すると、前記バッテリパック下ケース３００は、前記係止爪とバッテリパック下ケースの突起部との間には前記フック部が位置するように嵌合溝３３０が形成されるが、嵌合溝３３０の左側角部から突起部３２０の上部面と当接する右側角部までの長さは、前記第１の折曲げ面２１１から第２の折曲げ面２１２までの長さに等しく形成されて前記フック部２１０を嵌合溝３３０内に嵌入しやすくする。
【００８５】
また、前記バッテリパック下ケース３００は、前記フック部の上部面と当接する高さに位置し、フック部が形成された面と隣り合う面に配置されてバッテリパック上ケースのフック部が引っ掛かるように外側に突出した係止爪３１０及び前記フック部の下部面と当接する高さに位置し、フック部が形成された面と同じ面に配置されてフック部を支持するように上部に向かって盛り上がった突起部３２０を備えてなる。
【００８６】
前記係止爪３１０は、前記上構造体１１０のフック部１１１の上部に対応する位置に下構造体の内部面が外側に突設される構成要素であって、前記上構造体１１０のフック部１１１が係止爪１３０に引っ掛かる。
【００８７】
さらに、前記バッテリパック下ケース３００は、周縁から上部に向かって盛り上がって前記フック部１１１内に配置される突起部３２０を備える構成要素であって、前記突起部３２０の盛り上がり高さは、前記フック部２１０の末端の長さに等しいか又は末端の長さよりも大きく形成する。前記突起部３２０の盛り上がり高さが前記フック部２１０の末端の長さよりも小さな場合には、フック部２１０の支持力が弱いためフック係合が解除されてしまうという不都合が生じる。
【００８８】
このような突起部３２０とフック部２１０の構造を従来の発明と比較すると、前記図２に示すような従来のフック係合構造は、下部構成要素として配置される第１の構造物３０及び前記第１の構造物３０の上部に配置され、第１の構造物３０に対応する形状の第２の構造物４０を備えてなる。
【００８９】
前記第１の構造物３０は、側面部内側の所定の領域に外部に突出した係止爪３１及び第１の構造物３０から上部に延び、前記係止爪３１と所定の間隔だけ離れて位置する支持棒３２が形成される。
【００９０】
さらにまた、前記第２の構造物４０は、前記係止爪３１と支持棒３２との間に介在されて配置され、第２の構造物４０から下部に延びた胴体４１＿１及び胴体４１＿１から延びて前記係止爪３１に向かって突出した突起部４１＿２を備えてなるフック部４１が形成される。
【００９１】
しかしながら、このような従来のフック係合構造における省スペース化が求められることにより、空間効率を増大させるために、従来のフック係合構造の支持棒３２といった構成要素を削除し、本発明のように、２回折り曲げられたフック部２１０とこのようなフック部２１０を支持する突起部３２０の構造に形成することにより、フック係合構造の空間活用率を増大させる。
【００９２】
また、前記バッテリパック上ケース２００は、前記バッテリパック下ケースの嵌合溝に対応する位置に末端が折り曲げられたフック部２１０が形成される。ここで、前記フック部２１０は、前記係止爪３１０と突起部３２０との間に嵌入し易いために、所定の弾性変形可能な素材から形成される。
【００９３】
前記フック部２１０は、折り曲げられて一つの面を形成して前記下構造体の突起部３２０に触れる第１の折曲げ面２１１及び折り曲げられて一つの面を形成して前記係止爪３１０に触れる第２の折曲げ面２１２を備えてなり、図１０に基づいてさらに詳しく説明する。
【００９４】
図１０は、本発明の一実施形態に係るバッテリパックケースにおけるフック部の側面拡大図である。
【００９５】
図１０を参照すると、前記第１の折曲げ面２１１は、前記バッテリパック上ケース２００の周縁を１回折り曲げて形成される面であって、一実施形態によれば、第１の折曲げ面２１１の厚さは、前記突起部３２０の上部面の厚さに等しいか又は所定の範囲だけ大きく形成される。
【００９６】
第１の折曲げ面２１１の厚さが前記突起部３２０の上部面の厚さよりも小さな場合には、フック部２１０の末端が突起部３２０に十分に引っ掛からないというデメリットがある。また、第１の折曲げ面２１１の厚さが前記突起部３２０の上部面の厚さよりも所定の範囲だけ大きく形成された場合には、フック係合後に、フック部２１０の末端と突起部３２０との間に隙間が生じて強固に固定されないという不都合が生じるため、最小限の大きな厚さを有するように形成する。
【００９７】
さらに、前記第２の折曲げ面２１２は、前記第１の折曲げ面２１１が生成されるように１回折り曲げられ、さらに１回折り曲げられて形成される面であって、一実施形態によれば、第２の折曲げ面２１２の厚さは、前記係止爪３１０の下部面の厚さに等しいか又は所定の範囲よりも小さく形成される。第２の折曲げ面２１２の厚さが前記係止爪３１０の下部面の所定の範囲の厚さよりも小さな場合には、フック係合後に、組立て構造体に衝撃が生じたとき、係止爪からフック部２１０の末端が係脱されてしまうという問題が生じる。なお、第２の折曲げ面２１２の厚さが前記係止爪３１０の下部面の厚さよりも大きく形成された場合には、フック係合構造の全体の厚さが増加してしまうという不都合が生じる。
【００９８】
さらにまた、前記フック部２１０の末端は、一方の側は平行であり、他方の側は下部に向かって進むにつれて次第に狭くなる形状に形成されて、係止爪３１０と突起部３２０との間に嵌入しやすくする。フック部２１０の末端の一方の側は、前記突起部３２０により支持される力が分散されないように平行な形状に形成されるが、本発明はこのような形状に限定されない。
【００９９】
さらにまた、本発明の一実施形態のように、バッテリパックケースは、空間活用率が増大されて従来よりも小さなバッテリパックの大きさを有したり、さらに多くのバッテリセルが搭載されたりして向上した容量を有することができ、これを備えるデバイスは、従来よりも小さく形成されてもよく、従来よりも増大されたバッテリ容量を有するデバイスとして形成されてもよい。
【０１００】
＜実施形態３＞
次いで、本発明の他の実施形態に係るフック係合構造について説明する。
【０１０１】
本発明の他の実施形態に係るフック係合構造は、フック係合構造が形成される構造体の底面に所定の領域の貫通孔が形成され、形成された貫通孔内にフック部を所定の領域に配置してフック部が係止爪に引っ掛かった後に後ろに押されないように底面を介して支持されることにより、フック係合構造の空間活用率が増大できるようにする。
【０１０２】
図１１は、本発明の他の実施形態に係るフック係合構造の側面図である。
【０１０３】
図１２は、本発明の他の実施形態に係るフック部が嵌入する前のフック係合構造の側面図である。
【０１０４】
図１１及び図１２を参照すると、本発明の他の実施形態に係るフック係合構造５００は、上部面から延びて末端が突設されたフック部５１１を有してなる上構造体５１０と、前記フック部の所定の領域が底面の内側に配置されるように底面の所定の領域が穿孔された貫通孔５３０及び前記上構造体５１０のフック部５１１の上部に対応する位置に下構造体の内部面が外側に突出して形成される係止爪５４０を有してなる下構造体５２０を備えてなる。
【０１０５】
また、前記フック部５１１は、前記貫通孔に所定の領域が引き込まれて係合が行われる。
【０１０６】
以下、このようなフック係合構造の構成についてさらに詳しく説明する。
【０１０７】
まず、前記フック部５１１は、上構造体５１０から延びて末端が突出する構成要素であって、前記係止爪５４０と貫通孔５３０との間に嵌入し易くなるために所定の弾性変形可能な素材から形成される。
【０１０８】
さらに、前記フック部５１１は、突設された形状を、一方の側は平行であり、他方の側は下部に向かって進むにつれて次第に狭くなる形状にして、係止爪５４０と貫通孔５３０との間に嵌入し易くする。フック部５１１の一方の側は、前記底面により支持される力が分散されないように平行な形状に形成されるが、本発明はこのような形状に限定されない。
【０１０９】
さらにまた、前記フック部は、上構造体５１０が延びた部分よりも大きな厚さを有して、前記係止爪５４０との係合力が増大できるようにする。
【０１１０】
さらにまた、前記底面５２０は、フック係合構造が形成される構造体の下部面の構成要素であって、第１の底面部５２１及び第２の底面部５２２を備えてなる。
【０１１１】
より具体的に説明すると、前記底面５２０は、前記貫通孔の一方の側に位置する第１の底面部５２１及び貫通孔の他方の側に位置する第２の底面部５２２を備えてなる。
【０１１２】
前記第１の底面部及び第２の底面部のうち、前記係止爪が位置していない方向の底面部は、前記フック部のうち、突出していない一方の側の所定の領域を支持する。前記図１１においては、第２の底面部５２２が前記フック部５１１を支持して後ろに押されないようにする。
【０１１３】
また、前記フック部４１１の所定の領域と前記第２の底面部５２２との間の間隔は、ほとんど離れていないほど空間活用率が増大されるので、最小限の間隔を維持したり、間隔がない構造に形成したりする。
【０１１４】
前記図２に示すような従来のフック係合構造は、下部構成要素として配置される第１の構造物３０及び前記第１の構造物３０の上部に配置され、第１の構造物３０に対応する形状の第２の構造物４０を備えてなる。
【０１１５】
前記第１の構造物３０は、側面部内側の所定の領域に外部に突出した係止爪３１及び第１の構造物３０から上部に延び、前記係止爪３１と所定の間隔だけ離れて位置する支持棒３２が形成される。
【０１１６】
さらに、前記第２の構造物４０は、前記係止爪３１と支持棒３２との間に介在するように配置され、第２の構造物４０から下部に延びた胴体４１＿１及び胴体４１＿１から延びて前記係止爪３１に向かって突出した突起部４１＿２を備えてなるフック部４１が形成される。
【０１１７】
しかしながら、このような従来のフック係合構造における省スペース化が求められることにより、空間効率を増大させるために、従来のフック係合構造の支持棒３２といった構成要素を削除し、本発明のように、底面５２０を活用してフック部５１１を支持することにより、空間活用率を増大させる。
【０１１８】
さらにまた、前記貫通孔５３０は、前記折曲げ部の所定の領域が底面の内側に配置されるように前記底面の所定の領域が穿孔され、貫通孔は、折曲げ部の厚さに等しいか又はそれよりも大きな厚さに形成される。これにより、前記フック部５１１の厚さに等しいか又はそれに大きな厚さに形成された貫通孔５３０の内側に前記フック部５１１が配置できるようにする。
【０１１９】
さらにまた、前記係止爪５４０は、前記貫通孔の上部に所定の高さだけ離れるように位置し、前記フック部の折曲げ部が引っ掛かる構成要素であって、前記係止爪５４０と第２の底面部５２２との間の長さが前記フック部のフック部５１１の厚さよりも大きく形成される。
【０１２０】
さらにまた、前記係止爪と底面の貫通孔との間には前記フック部の折曲げ部が位置するように嵌合溝５５０が形成される。
【０１２１】
さらにまた、本発明の実施形態のフック係合構造は、フック係合構造が互いに結合されて所定の空間を形成するケースの様々な構造体に適用されて従来よりも構造体の空間の効率が増大できるようにする。
【０１２２】
＜実施形態４＞
次いで、本発明の他の実施形態に係るバッテリパックケースについて説明する。
【０１２３】
本発明の他の実施形態に係るバッテリパックケースは、前記実施形態に係るフック係合構造が形成されたバッテリパックケースであって、バッテリパック下ケース７００の底面を介してフック部が後ろに押されないように支持される形状に形成できるようにする。
【０１２４】
図１３は、本発明の他の実施形態に係るバッテリパックケースの内部構造図である。ここで、図１３の上部面は、フック係合構造が形成された内側が覗き込まれるように上部面の一部が切断された形状に示されているため、バッテリパック上ケースの構造は、通常、上部面の全体が覆われている構造に形成される。
【０１２５】
図１３を参照すると、本発明の他の実施形態に係るバッテリパックケースは、内部に前記バッテリモジュールを搭載し、底面の所定の領域に嵌合溝７５０が形成されるバッテリパック下ケース７００及び前記バッテリパック下ケースの嵌合溝に対応する位置に末端が突設された折曲げ部を有してなるフック部が形成されるバッテリパック上ケース６００を備えてなる。
【０１２６】
また、前記下ケースの嵌合溝と上ケースのフック部は、互いに嵌合してフック係合構造をなす。なお、フック係合構造は、下ケースと上ケースとの間の結合力が増大されるように複数形成されてもよい。
【０１２７】
以下、このようなバッテリパックケースの構成についてさらに詳しく説明する。
【０１２８】
前記バッテリパック下ケース７００は、内部に前記バッテリモジュールを搭載し、底面の所定の領域に嵌合溝７５０が形成される構成要素であって、図１４に基づいて詳しく説明する。
【０１２９】
図１４は、本発明の他の実施形態に係るバッテリパックケースにおけるフック係合構造の切断側面図である。
【０１３０】
図１４を参照すると、前記バッテリパック下ケースは、前記バッテリパック上ケースの折曲げ部の所定の領域が内側に配置されるようにバッテリパック下ケースの底面の所定の領域が穿孔された貫通孔７３０及び前記バッテリパック上ケースのフック部に対応するバッテリパック下ケースの側面の所定の領域に前記貫通孔と所定の高さだけ離れるように位置し、バッテリパック上ケースの折曲げ部が引っ掛かる係止爪７４０を備えてなる。
【０１３１】
また、前記バッテリパック下ケースは、前記貫通孔の一方の側に位置する側面部７１０及び貫通孔の他方の側に位置する底面部７２０をさらに備えてなり、前記底面部７２０は、前記フック部の折曲げ部のうち、突出していない一方の側の所定の領域を支持する。
【０１３２】
さらに、前記貫通孔７３０は、折曲げ部の厚さに等しいか又はそれによりも大きな厚さに穿孔されて前記折曲げ部６１１が内側に配置できるようにする。
【０１３３】
前記側面部７１０及び底面部７２０は、前記実施形態に係るフック係合構造をバッテリパックケースに適用して形成された構造であって、前記フック部６１０が係止爪７４０と係合されて後ろに押されないように底面部７２０が支持する形状である。
【０１３４】
さらにまた、前記折曲げ部６１１の所定の領域と前記底面部７２０との間の間隔は、ほとんど離れていないほど空間活用率が増大されるので、最小限の間隔を維持したり、間隔がない構造に形成したりする。
【０１３５】
さらにまた、前記係止爪７４０は、前記バッテリパック下ケースの側面から所定の領域に突出して形成される構成要素であって、前記フック部６１０と対応する形状に形成される。
【０１３６】
さらにまた、前記フック部６１０に触れる面積が広くなるにつれて、フック係合力が増大されるので、一実施形態によれば、バッテリパックケースの空間活用率が減少しない程度であるバッテリパック上ケース６００内のフック部６１０の延在部分の厚さに等しい大きさに形成できるようにする。
【０１３７】
さらにまた、前記バッテリパック上ケース６００は、前記バッテリパック下ケースの嵌合溝に対応する位置に末端が突設された折曲げ部６１１を有してなるフック部６１０が形成される。
【０１３８】
前記フック部６１０は、構造体の上部面から延びて末端が突設された折曲げ部６１１を備える構成要素であって、前記係止爪７４０と貫通孔７３０との間に嵌入しやすくなるために所定の弾性変形可能な素材から形成される。
【０１３９】
また、前記折曲げ部６１１は、突設された形状を、一方の側は平行であり、他方の側は下部に向かって進むにつれて次第に狭くなる形状にして、係止爪７４０と貫通孔７３０との間に嵌入しやすくする。折曲げ部６１１の一方の側は、前記底面により支持される力が分散されないように平行な形状に形成されるが、本発明はこのような形状に限定されない。
【０１４０】
さらにまた、前記フック部の折曲げ部６１１は、フック部が延びた部分よりも大きな厚さを有して、前記係止爪７４０との係合力が増大できるようにする。
【０１４１】
さらにまた、前記嵌合溝７５０は、前記係止爪及び底面の貫通孔の間に前記フック部の折曲げ部が位置するように形成される構成要素であって、図１５に基づいて詳しく説明する。
【０１４２】
図１５は、本発明の他の実施形態に係るフック部が嵌入する前のバッテリパックケースにおけるフック係合構造の切断側面図である。
【０１４３】
図７を参照すると、前記嵌合溝７５０は、係止爪７４０と貫通孔７３０との間に形成されて前記フック部の折曲げ部６１１が位置する空間であって、底面部７２０との間の長さが、前記フック部の折曲げ部６１１の対角線の長さよりも大きく形成される。これは、前記バッテリパック上ケース６００とバッテリパック下ケース７００との結合に際して、折曲げ部６１１を嵌合溝７５０内に嵌入しやすくする。
【０１４４】
また、本発明の他の実施形態のように、バッテリパックケースは、空間活用率が増大されて従来よりも小さなバッテリパックの大きさを有したり、さらに多くのバッテリセルが搭載されたりして向上した容量を有することができ、これを備えるデバイスは、従来よりも小さく形成されてもよく、従来よりも増大されたバッテリ容量を有するデバイスとして形成されてもよい。
【０１４５】
一方、本発明の技術的思想は、前記実施形態に基づいて具体的に記述されたが、前記実施形態はその説明のためのものであり、その制限のためのものではないということに留意すべきである。なお、本発明の技術分野における当業者であれば、本発明の技術思想の範囲内において種々の実施形態が実施可能であるということが理解できる筈である。
【符号の説明】
【０１４６】
１０  第１の構造物
１１  係止爪
２０  第２の構造物
２１  フック部
２１＿１  胴体
２１＿２  突起部
３０  第１の構造物
３１  係止爪
３２  支持棒
４０  第２の構造物
４１  フック部
４１＿１  胴体
４１＿２  突起部
１００  フック係合構造
１１０  上構造体
１１１  フック部
１１１＿１  第１の折曲げ面
１１１＿２  第２の折曲げ面
１２０  下構造体
１２１  突起部
１３０  係止爪
１４０  嵌合溝
２００  バッテリパック上ケース
２１０  フック部
２１１  第１の折曲げ面
２１２  第２の折曲げ面
３００  バッテリパック下ケース
３１０  係止爪
３２０  突起部
３３０  嵌合溝
４１１  フック部
５００  フック係合構造
５１０  上構造体
５１１  フック部
５２０  底面、下構造体
５２１  第１の底面部
５２２  第２の底面部
５３０  貫通孔
５４０  係止爪
５５０  嵌合溝
６００  バッテリパック上ケース
６１０  フック部
６１１  折曲げ部
７００  バッテリパック下ケース
７１０  側面部
７２０  底面部
７３０  貫通孔
７４０  係止爪
７５０  嵌合溝
【図１】
2021519898.tif 000003
【図２】
2021519898.tif 000004
【図３】
2021519898.tif 000005
【図４】
2021519898.tif 000006
【図５】
2021519898.tif 000007
【図６】
2021519898.tif 000008
【図７（ａ）】
2021519898.tif 000009
【図７（ｂ）】
2021519898.tif 000010
【図８】
2021519898.tif 000011
【図９】
2021519898.tif 000012
【図１０】
2021519898.tif 000013
【図１１】
2021519898.tif 000014
【図１２】
2021519898.tif 000015
【図１３】
2021519898.tif 000016
【図１４】
2021519898.tif 000017
【図１５】
2021519898.tif 000018
【国際調査報告】
2021519898.tif 000019
2021519898.tif 000020
2021519898.tif 000021
2021519898.tif 000022